(57)【要約】【課題】重要な診断支援情報を適切に特定することができる医用情報処理システムを提供すること。【解決手段】医用情報処理システムは、診断時に診断支援情報を診断者に提示する診断支援情報提示部と、診断支援情報提示部が提示した診断支援情報のうち、診断時に診断者によって参照された診断支援情報を特定する参照情報特定部と、参照情報特定部が特定した診断支援情報をより重要度が高い診断支援情報として格納する診断結果データベースとを備え、診断支援情報提示部は、診断結果データベースがより重要度が高い診断支援情報として格納している診断支援情報を、診断者に優先して提示するを備える。【選択図】図２
2009078085.tif 000002
【特許請求の範囲】
【請求項１】
診断時に診断支援情報を診断者に提示する診断支援情報提示部と、
前記診断支援情報提示部が提示した診断支援情報のうち、診断時に診断者によって参照された診断支援情報を特定する参照情報特定部と、
前記参照情報特定部が特定した診断支援情報をより重要度が高い診断支援情報として格納する重要情報格納部と
を備え、
前記診断支援情報提示部は、前記重要情報格納部がより重要度が高い診断支援情報として格納している診断支援情報を、診断者に優先して提示する医用情報処理システム。
【請求項２】
前記参照情報特定部は、既に診断されていた初期診断結果と異なる診断結果を診断者が同じ診断対象に対して診断した場合に、初期診断結果が診断されてから、前記異なる診断結果が診断された時点までの間に当該診断者によって参照された診断支援情報を特定する
請求項１に記載の医用情報処理システム。
【請求項３】
前記参照情報特定部は、既に診断されていた初期診断結果と異なる確定診断結果が同じ診断対象に対して診断された場合に、前記確定診断結果と同じ診断結果が診断されたときに診断者によって参照された診断支援情報を特定する
請求項２に記載の医用情報処理システム。
【請求項４】
前記参照情報特定部は、前記異なる診断結果が診断された時点までの間に診断者によって参照された症例情報を特定し、
前記重要情報格納部は、前記参照情報特定部が特定した症例情報をより重要度が高い症例情報として格納し、
前記診断支援情報提示部は、前記重要情報格納部がより重要度が高い症例情報として格納している症例情報を、診断者に優先して提示する
請求項２に記載の医用情報処理システム。
【請求項５】
前記参照情報特定部は、前記異なる診断結果が診断された時点までの間に診断者によって参照された症例画像を特定し、
前記重要情報格納部は、前記参照情報特定部が特定した症例画像をより重要度が高い症例画像として格納し、
前記診断支援情報提示部は、前記重要情報格納部がより重要度が高い症例画像として格納している症例画像を、診断者に優先して提示する
請求項４に記載の医用情報処理システム。
【請求項６】
前記診断支援情報提示部が表示する症例画像のうち、より高解像度で表示すべき症例画像を指定する指示を診断者から受け付ける表示指示受付部
をさらに備え、
前記参照情報特定部は、表示指示受付部が受け付けた指示により指定された症例画像を、診断者によって参照された症例画像として特定する
請求項５に記載の医用情報処理システム。
【請求項７】
診断者によって症例画像が参照された回数を検出する参照回数検出部
をさらに備え、
前記重要情報格納部は、前記参照回数検出部が検出した回数が多いほどより高い重要度に対応づけて前記参照情報特定部が特定した症例画像を格納する
請求項６に記載の医用情報処理システム。
【請求項８】
診断者によって症例画像が参照された時間長さを検出する参照時間検出部
をさらに備え、
前記重要情報格納部はさらに、前記参照時間検出部が検出した時間長さが長いほどより高い重要度に対応づけて前記参照情報特定部が特定した症例画像を格納する
請求項７に記載の医用情報処理システム。
【請求項９】
前記重要情報格納部が格納している症例画像の中から、診断対象の画像である診断対象画像と類似する画像特徴量を有する症例画像を選択する類似症例画像選択部
をさらに備え、
前記診断支援情報提示部は、前記類似症例画像選択部が選択した症例画像と対比させて前記診断対象画像を表示する
請求項６に記載の医用情報処理システム。
【請求項１０】
診断者によって症例画像が参照された回数を検出する参照回数検出部と、
前記類似症例画像選択部により選択された回数に対する、前記参照回数検出部が検出した回数の比率を症例画像毎に算出する表示比率算出部と
をさらに備え、
前記重要情報格納部は、前記表示比率算出部が算出した比率が大きいほどより高い重要度に対応づけて前記参照情報特定部が特定した症例画像を格納する
請求項９に記載の医用情報処理システム。
【請求項１１】
診断時に診断支援情報を診断者に提示する診断支援情報提示段階と、
前記診断支援情報提示段階において提示された診断支援情報のうち、診断時に診断者によって参照された診断支援情報を特定する参照情報特定段階と、
前記参照情報特定段階において特定された診断支援情報をより重要度が高い診断支援情報として格納する重要情報格納段階と
を備え、
前記診断支援情報提示段階は、前記重要情報格納段階においてより重要度が高い診断支援情報として格納された診断支援情報を、診断者に優先して提示する医用情報処理方法。
【請求項１２】
医用情報処理システム用のプログラムであって、前記医用情報処理システムを、
診断時に診断支援情報を診断者に提示する診断支援情報提示部、
前記診断支援情報提示部が提示した診断支援情報のうち、診断時に診断者によって参照された診断支援情報を特定する参照情報特定部、
前記参照情報特定部が特定した診断支援情報をより重要度が高い診断支援情報として格納する重要情報格納部
として機能させ、
前記診断支援情報提示部を、前記重要情報格納部がより重要度が高い診断支援情報として格納している診断支援情報を、診断者に優先して提示させるプログラム。
【発明の詳細な説明】
【技術分野】
【０００１】
本発明は、医用画像処理システム、医用画像処理方法、及びプログラムに関する。特に本発明は、医用画像を処理する医用画像処理システム及び医用画像処理方法、並びに医用画像処理システム用のプログラムに関する。
【背景技術】
【０００２】
放射線科の読影結果、依頼科の診断結果、ＣＡＤでの診断結果、最終的な確定診断を診断履歴情報として記録し、食い違い診断例などの参考症例の画像を端末からの簡単な指定で端末上に表示し得る参考症例検索方式が知られている（例えば、特許文献１参照。）。また、章・節単位等の参照頻度として、参照回数、参照者、参照日時を参照頻度情報として設け、ブック表示時、同情報から参照者あるいは期間を条件として検索し、参照マーカを参照頻度に応じて該当箇所に生成表示するページ表示方法が知られている（例えば、特許文献２参照。）。
【特許文献１】特開平５−１０１１２２号公報
【特許文献２】特開平１０−１５４１５８号公報
【発明の開示】
【発明が解決しようとする課題】
【０００３】
特許文献１に記載の技術では、初期診断結果と異なる診断が下された場合に、いずれの診断支援情報に基づいて誤診であることが判明したかを記録しておくことができない。また、参照頻度が高い情報が重要であるとは限らないので、特許文献２に記載の技術を応用しても、重要な診断支援情報を適切に提示することができない場合がある。
【課題を解決するための手段】
【０００４】
上記課題を解決するために、本発明の第１の形態によると、医用情報処理システムであって、診断時に診断支援情報を診断者に提示する診断支援情報提示部と、診断支援情報提示部が提示した診断支援情報のうち、診断時に診断者によって参照された診断支援情報を特定する参照情報特定部と、参照情報特定部が特定した診断支援情報をより重要度が高い診断支援情報として格納する重要情報格納部とを備え、診断支援情報提示部は、重要情報格納部がより重要度が高い診断支援情報として格納している診断支援情報を、診断者に優先して提示する。
【０００５】
参照情報特定部は、既に診断されていた初期診断結果と異なる診断結果を診断者が同じ診断対象に対して診断した場合に、初期診断結果が診断されてから、異なる診断結果が診断された時点までの間に当該診断者によって参照された診断支援情報を特定してよい。また、参照情報特定部は、既に診断されていた初期診断結果と異なる確定診断結果が同じ診断対象に対して診断された場合に、確定診断結果と同じ診断結果が診断されたときに診断者によって参照された診断支援情報を特定してよい。
【０００６】
本発明の第２の形態によると、医用情報処理方法であって、診断時に診断支援情報を診断者に提示する診断支援情報提示段階と、診断支援情報提示段階において提示された診断支援情報のうち、診断時に診断者によって参照された診断支援情報を特定する参照情報特定段階と、参照情報特定段階において特定された診断支援情報をより重要度が高い診断支援情報として格納する重要情報格納段階とを備え、診断支援情報提示段階は、重要情報格納段階においてより重要度が高い診断支援情報として格納された診断支援情報を、診断者に優先して提示する。
【０００７】
本発明の第３の形態によると、医用情報処理システム用のプログラムであって、医用情報処理システムを、診断時に診断支援情報を診断者に提示する診断支援情報提示部、診断支援情報提示部が提示した診断支援情報のうち、診断時に診断者によって参照された診断支援情報を特定する参照情報特定部、参照情報特定部が特定した診断支援情報をより重要度が高い診断支援情報として格納する重要情報格納部として機能させ、診断支援情報提示部を、重要情報格納部がより重要度が高い診断支援情報として格納している診断支援情報を、診断者に優先して提示させる。
【０００８】
なお、上記の発明の概要は、本発明の必要な特徴の全てを列挙したものではなく、これらの特徴群のサブコンビネーションもまた、発明となりうる。
【発明を実施するための最良の形態】
【０００９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１０】
図１は、一実施形態に係る医用情報処理システム１００の利用環境の一例を示す。医用情報処理システム１００は、医用情報処理装置１１０、診断支援情報データベース１２０、複数の読影者端末１５０ａ−ｄ（以下、読影者端末１５０と総称する）、及び複数の医用画像撮像装置１７０ａ−ｃ（以下、医用画像撮像装置１７０と総称する。）を備える。診断支援情報データベース１２０は、医学情報データベース１３０、症例データベース１４０、及び診断結果データベース１４５を有する。
【００１１】
読影者端末１５０ａ及び医用画像撮像装置１７０ａは診断サイト１０２ａに設けられ、読影者端末１５０ａは医用画像撮像装置１７０ａが撮像した読影対象画像を読影者１９０ａに読影させる。また、読影者端末１５０ｂ及び医用画像撮像装置１７０ｂは診断サイト１０２ｂに設けられ、医用画像撮像装置１７０ｂが撮像した読影対象画像を読影者１９０ｂに読影させる。また、読影者端末１５０ｃ及び医用画像撮像装置１７０ｃは診断サイト１０２ｃに設けられ、医用画像撮像装置１７０ｃが撮像した読影対象画像を読影者１９０ｃに読影させる。一例としては、診断サイト１０２ａ、診断サイト１０２ｂ、及び診断サイト１０２ｃは互いに異なる病院等の診療・医療機関であってよい。
【００１２】
医用情報処理装置１１０、診断支援情報データベース１２０、及び読影者端末１５０ｄは診断サイト１０２ａ−ｃと異なる診断サイト１０２ｄに設けられる。医用情報処理装置１１０は、医用画像撮像装置１７０と通信回線１６０を通じて接続されており、医用画像撮像装置１７０から読影対象画像を収集して症例データベース１４０に格納する。そして、読影者端末１５０は、症例データベース１４０に格納された読影対象画像を表示する。なお、診断サイト１０２ｄは、遠隔読影サービスを提供する機関であってよい。なお、読影者端末１５０ａ−ｃも、通信回線１６０を通じて症例データベース１４０が格納している読影対象画像を取得して、読影者１９０ａ−ｃに読影させることができる。
【００１３】
医学情報データベース１３０は、診断を支援する医学的情報を、ハードディスク、不揮発性の半導体メモリ等の、電子的に記録することができる記録媒体に格納している。医学的情報とは、疾患の解説データ、病変部を含む画像を読影する場合に注意すべきポイント、所見として記載すべきポイント、及び代表的な症例画像を含む。また、症例データベース１４０は、複数の症例情報を、ハードディスク、不揮発性の半導体メモリ等の、電子的に記録することができる記録媒体に格納している。症例情報とは、症例画像、所見、確定された診断結果、カルテデータ等の診療記録を含む。
【００１４】
医用情報処理装置１１０は、診断支援情報データベース１２０と接続されている。医用情報処理装置１１０は、医学情報データベース１３０が格納している医学情報及び症例データベース１４０が格納している症例情報を電子的に読み出すことができる。医用情報処理装置１１０は、通信回線１６０を介して読影者端末１５０と接続されており、医学情報データベース１３０及び症例データベース１４０から読み出した医学情報及び症例情報を、通信回線１６０を通じて読影者端末１５０に電子的に提供する。
【００１５】
読影者端末１５０は、医用画像撮像装置１７０が撮像した読影対象画像を取得して、読影者１９０に提示する。このとき、読影者端末１５０は、医用情報処理装置１１０から取得した関連する医学情報及び症例情報を、読影対象画像とともに提示する。そして、読影者端末１５０は、読影者１９０から所見の入力を受け付けて、入力された所見及び読影対象画像を医用情報処理装置１１０に通信回線１６０を通じて送信する。医用情報処理装置１１０は、読影者端末１５０から受け取った所見及び読影対象画像を含む症例データを、新たな症例情報として症例データベース１４０に格納させる。
【００１６】
なお、カメラ１８０は、読影者１９０が読影しているときに読影者１９０を撮影しており、撮像した画像を読影者端末１５０に供給する。読影者端末１５０は、カメラ１８０が撮像した画像から、読影者１９０の視線を特定する。読影者端末１５０は、検出した読影者１９０の視線の先に表示されている症例情報を特定する情報を、医用情報処理装置１１０に送信する。医用情報処理装置１１０は、読影者端末１５０から送信された情報によって特定される症例情報を、より重要な症例情報であるとして診断結果データベース１４５に格納させる。そして、読影者端末１５０は、他の読影者１９０による読影時に、診断結果データベース１４５が格納しているより重要な症例情報をより優先して提示する。
【００１７】
なお、医用画像撮像装置１７０は、Ｘ線ＣＴ装置、トモシンセシス装置、ＭＲＩ装置等の、放射線を含む電磁波を利用して被検者の画像を撮像する撮像装置であってよい。なお、ここでは複数の診断サイト１０２にまたがるシステムとして医用情報処理システム１００を説明したが、医用情報処理システム１００は、一の診断サイト１０２内で閉じたシステムであってもよい。この場合、診断サイト１０２は一の医療機関内の異なる部門であってよい。例えば、診断サイト１０２は一の医療機関内の異なる診療科であってよい。
【００１８】
このように、医用情報処理システム１００を実際のシステムに適用すると、読影者１９０が不足している病院に対して読影を代行する遠隔読影代行システムとして機能したり、一の病院における診断結果に対するセカンドオピニオンを他の病院に依頼することができるセカンドオピニオン提供システムとして機能し得る場合がある。また、医用情報処理システム１００を実際のシステムに適用すると、医学情報データベース１３０に格納されている医学情報及び症例データベース１４０に格納されている症例情報を読影者端末１５０に電子的に提供することができ、言うなれば症例を必要に応じて動的に追加することができる電子医学書として機能し得る場合がある。なお、診断結果データベース１４５は、この発明における重要情報格納部の一例である。
【００１９】
図２は、医用情報処理装置１１０及び読影者端末１５０のブロック構成の一例を示す。読影者端末１５０は、入力部２１０、視線特定部２２０、表示指示受付部２４０、参照回数検出部２６５、参照時間検出部２６０、参照情報送信部２５０、及び診断支援情報提示部２３０を有する。医用情報処理装置１１０は、診断結果取得部２８０、重要度算出部２８５、表示比率算出部２７５、参照情報特定部２７０、及び類似症例画像選択部２９０を有する。以下に、診断支援情報データベース１２０が格納するデータとともに、医用情報処理装置１１０の各構成要素の動作を説明する。
【００２０】
類似症例画像選択部２９０は、医学情報データベース１３０及び症例データベース１４０が格納している症例画像の中から、診断対象の画像である診断対象画像と類似する画像特徴量を有する症例画像を選択する。具体的には、類似症例画像選択部２９０は、診断対象画像が含む異常陰影と円形度、大きさ、濃さ等の画像特徴量が類似する異常陰影を含む症例画像を選択する。
【００２１】
診断支援情報提示部２３０は、診断時に診断支援情報を読影者１９０に提示する。具体的には、診断支援情報提示部２３０は、当該類似する症例画像を読影者１９０に提示する。
【００２２】
視線特定部２２０は、読影者１９０の視線を検出する。そして、視線特定部２２０は、視線特定部２２０が検出した視線の先に提示されている診断支援情報を医用情報処理装置１１０に送信する。
【００２３】
また、参照回数検出部２６５は、読影者１９０によって症例画像が参照された回数を検出する。具体的には、参照回数検出部２６５は、視線特定部２２０の検出結果に基づいて、視線の先に提示されている症例画像に視線が移った回数を、当該参照された回数として検出する。また、参照時間検出部２６０は、読影者１９０によって症例画像が参照された時間長さを検出する。具体的には、参照時間検出部２６０は、視線特定部２２０の検出結果に基づいて、視線の先に提示されている症例画像が読影者１９０により参照されている時間を検出する。
【００２４】
また、入力部２１０は、読影者１９０からの情報を入力する。具体的には、入力部２１０は、読影者１９０による診断結果を特定する情報を読影者１９０から入力する。読影者端末１５０は、入力部２１０から入力された診断結果を特定する情報を、医用情報処理装置１１０に送信する。
【００２５】
他にも、入力部２１０は、症例画像の表示状態を変更する指示を入力する。そして、表示指示受付部２４０は、診断支援情報提示部２３０が表示する症例画像のうち、より高解像度で表示すべき症例画像を指定する指示を読影者１９０から受け付ける。具体的には、入力部２１０からの指示に基づいて、より高解像度で表示すべき症例画像を指定する指示を読影者１９０から受け付ける。
【００２６】
なお、参照回数検出部２６５は、表示指示受付部２４０が受け付けた指示の回数を、参照された回数として検出してもよい。また、参照時間検出部２６０は、高解像度で表示している時間を、参照されている時間として検出してもよい。そして、参照情報送信部２５０は、参照時間検出部２６０が検出した時間及び参照回数検出部２６５が検出した回数を、診断支援情報提示部２３０が提示した症例画像を特定する情報に対応づけて医用情報処理装置１１０に送信する。
【００２７】
参照情報特定部２７０は、参照情報送信部２５０が送信した情報を取得する。そして、参照情報特定部２７０は、受け取った情報に基づいて、診断支援情報提示部２３０が提示した症例画像のうち、診断時に読影者１９０によって参照された症例画像を特定する。なお、症例画像は、この発明における診断支援情報或いは症例情報の一例であってよい。また、診断結果取得部２８０は、入力部２１０から入力された診断結果を、読影者端末１５０から受信する。他にも、参照情報特定部２７０は、表示指示受付部２４０が受け付けた指示により指定された症例画像を、読影者１９０によって参照された症例画像として特定してよい。
【００２８】
そして、参照情報特定部２７０は、既に診断されていた初期診断結果と異なる診断結果を読影者１９０が同じ診断対象に対して診断した場合に、初期診断結果が診断されてから、異なる診断結果が診断された時点までの間に当該読影者１９０によって参照された症例画像を特定する。具体的には、参照情報特定部２７０は、既に診断されていた初期診断結果と異なる確定診断結果が同じ診断対象に対して診断された場合に、確定診断結果と同じ診断結果が診断されたときに読影者１９０によって参照された症例画像を特定する。参照情報特定部２７０は、特定した症例画像を識別する情報を、当該症例画像が参照された回数及び時間とともに、重要度算出部２８５に供給する。
【００２９】
重要度算出部２８５は、参照情報特定部２７０から供給された情報に基づいて、重要度を算出する。具体的には、重要度算出部２８５は、参照回数検出部２６５が検出した回数が多いほど、より高い重要度を決定する。また、重要度算出部２８５は、参照時間検出部２６０が検出した時間長さが長いほど、より高い重要度を算出する。そして、重要度算出部２８５は、算出した重要度を診断結果データベース１４５に供給する。診断結果データベース１４５は、重要度算出部２８５から供給された重要度に対応づけて症例画像を格納する。
【００３０】
なお、表示比率算出部２７５は、前記類似症例画像選択部により選択された回数に対する、参照回数検出部２６５が検出した回数の比率を症例画像毎に算出する。そして、重要度算出部２８５は、表示比率算出部２７５が算出した比率が大きいほどより高い重要度を算出してよい。
【００３１】
このように、診断結果データベース１４５は、参照情報特定部２７０が特定した症例画像をより重要度が高い症例画像として格納する。具体的には、診断結果データベース１４５は、参照回数検出部２６５が検出した回数が多いほどより高い重要度に対応づけて参照情報特定部２７０が特定した症例画像を格納する。また、診断結果データベース１４５は、参照時間検出部２６０が検出した時間長さが長いほどより高い重要度に対応づけて参照情報特定部２７０が特定した症例画像を格納する。
【００３２】
そして、診断支援情報提示部２３０は、診断結果データベース１４５がより重要度が高い診断支援情報として格納している診断支援情報を、読影者１９０に優先して提示する。例えば、診断支援情報提示部２３０は、診断結果データベース１４５がより重要度が高い診断支援情報として格納している診断支援情報をより強調して表示する。
【００３３】
なお、類似症例画像選択部２９０は、診断結果データベース１４５が格納している症例画像の中から、診断対象の画像である診断対象画像と類似する画像特徴量を有する症例画像を選択してよい。そして、診断支援情報提示部２３０は、類似症例画像選択部２９０が選択した症例画像と対比させて診断対象画像を表示してよい。なお、読影者１９０は、この発明における診断者の一例であってよい。
【００３４】
以上説明した医用情報処理システム１００のように、医用情報処理装置１１０を実際のシステムとして適用すると、初期診断結果と異なる診断結果が下された場合に参照された症例画像を他の読影者１９０に優先して提供することができる場合がある。このため、医用情報処理システム１００によると、診断を変えるきっかけとなった症例画像を読影者１９０に提供することができる。
【００３５】
図３は、読影者端末１５０及び医用情報処理装置１１０の動作フローの一例を示す。読影者端末１５０は、医用情報処理装置１１０に読影対象画像を要求する（Ｓ３０２）。医用情報処理装置１１０は、読影者端末１５０から要求された読影対象画像を送信する（Ｓ３０４）。なお、診断支援情報提示部２３０は、医用情報処理装置１１０から送信された読影対象画像を表示する（Ｓ３０６）。
【００３６】
なお、類似症例画像選択部２９０は、読影者端末１５０から要求された読影対象画像が有する画像特徴量と類似する画像特徴量を有する類似症例画像を、症例データベース１４０又は医学情報データベース１３０が格納している症例画像の中から検索する（Ｓ３０８）。そして、医用情報処理装置１１０は、類似症例画像選択部２９０が検索した類似症例画像を、読影者端末１５０に送信する（Ｓ３１０）。
【００３７】
読影者端末１５０は、医用情報処理装置１１０から受け取った類似症例画像を、読影対象画像に対比させる形でサムネイル表示する（Ｓ３１２）。そして、表示指示受付部２４０は、類似症例画像を選択する指示を受け付ける（Ｓ３１４）。なお、当該選択する指示を表示指示受付部２４０が受け付けた場合に、診断支援情報提示部２３０は、選択された類似症例画像を拡大して表示する。
【００３８】
そして、入力部２１０から診断結果が入力される（Ｓ３１６）と、参照情報送信部２５０は、診断結果が入力されるまでに参照された類似症例画像を特定して（Ｓ３２０）、当該類似症例画像を参照した時間及び回数と、当該類似症例画像を特定する情報とを含む参照情報を医用情報処理装置１１０に送信する（Ｓ３２０）。また、医用情報処理装置１１０は、診断結果を医用情報処理装置１１０に送信する。そして、参照情報特定部２７０は、読影者端末１５０から受け取った診断結果が既に下されていた診断結果と異なる場合に、重要度算出部２８５は読影者端末１５０から受け取った参照情報に基づいて重要度を算出して、算出した重要度に対応づける形で当該参照情報が示す類似症例画像を診断結果データベース１４５に記録させる（Ｓ３２２）。
【００３９】
図４は、医学情報データベース１３０が格納しているデータの一例をテーブル形式で示す。医学情報データベース１３０は、いわゆる電子的な医学辞書に格納されている医学情報データを格納する。
【００４０】
具体的には、医学情報データベース１３０は、疾患を識別する疾患ＩＤ、疾患を示す症例画像を識別する画像ＩＤ、及び疾患情報データを対応づけて格納している。医学情報データベース１３０が格納する症例画像は、疾患の代表的な症例画像であってよい。例えば、医学情報データベース１３０が格納している症例画像は、いわゆる書籍の医学書に掲載されている症例画像であってよく、疾患の特徴的な特徴を有する症例画像であってよい。また、疾患情報データとは、疾患の特徴、読影時に注意すべきポイント、所見として記載すべきポイント、所見の文例、誤診しやすい他の疾患名等、疾患に関連して読影者１９０に提供すべき文字情報及び画像情報を含んでよい。
【００４１】
図５は、症例データベース１４０が格納しているデータの一例をテーブル形式で示す。症例データベース１４０は、医用画像撮像装置１７０が撮像した画像を症例画像として、その診断結果とともに格納する。
【００４２】
具体的には、症例データベース１４０は、読影者１９０を一意に識別するユーザＩＤ、医用画像撮像装置１７０が撮像した症例画像を識別する画像ＩＤ、及び疾患を識別する疾患ＩＤ、及び診断結果データを対応づけて格納している。ユーザＩＤは、症例データベース１４０が格納している症例画像を使用することができるユーザを識別する情報であってもよい。
【００４３】
このように、症例データベース１４０がユーザＩＤに対応づけて症例画像を格納しているので、読影者１９０が保存しておくべき症例画像を読影者１９０毎に蓄積することができる。これにより、症例データベース１４０は、いわば読影者１９０独自の症例データベースとして機能することができる。他にも、医用情報処理装置１１０は、ユーザＩＤを、症例画像を利用することができる読影者１９０を限定するためのパーミッション情報としても使用してもよい。なお、症例データベース１４０は、ユーザＩＤに代えて、診断サイト１０２を識別する情報を格納してよい。これにより、症例データベース１４０は、例えば病院独自の症例データベースとして機能することができる。
【００４４】
また、画像ＩＤは、症例データベース１４０が格納している症例画像を識別する情報であってよい。また、画像ＩＤは、症例データベース１４０が格納している症例画像及び医学情報データベース１３０が格納している症例画像を識別する情報であってもよい。疾患ＩＤは、対応する症例画像が示す診断対象について確定診断結果が示す疾患を識別する疾患ＩＤであってよい。
【００４５】
また、診断結果データとは、診療録として記録されるデータを含み、例えば診療情報患者の氏名、性別、年齢、診断結果、投薬情報等の診療過程において取得された患者に関する情報、すなわち診療情報又は医療情報と呼ばれる情報を含む。具体的には、診断結果データは、カルテデータであってよい。また、症例データベース１４０は、ユーザＩＤによって識別される読影者１９０毎に、読影者１９０が下した診断結果を示す診断結果データを格納してよい。
【００４６】
図６は、診断結果データベース１４５が格納しているデータの一例をテーブル形式で示す。診断結果データベース１４５は画像ＩＤ及び診断結果を格納する。なお、診断結果データベース１４５は、放射線科において診断された診断結果、依頼科によって診断された診断結果、及び確定診断結果のそれぞれを識別する情報を含む診断結果を格納する。
【００４７】
図７は、医用情報処理装置１１０が読影者端末１５０に表示させる画面の一例を示す。医用情報処理装置１１０は、読影対象画像ウィンドウ７１０、類似症例画像ウィンドウ７２０及び７５１−７５４、診断レポート入力ウィンドウ７３０、及び参考診断レポート表示ウィンドウ７４０を含む画面を読影者端末１５０に表示させる。
【００４８】
医用情報処理装置１１０は、読影対象画像ウィンドウ７１０内に、読影者端末１５０が医用情報処理装置１１０から取得した読影対象画像を表示させる。そして、医用情報処理装置１１０は、症例データベース１４０が格納している症例画像のうち、類似症例画像を類似症例画像ウィンドウ７５１−７５３に表示させる。また、医用情報処理装置１１０は、指定された症例画像が示す疾患に対応づけて医学情報データベース１３０が格納している症例画像を、類似症例画像ウィンドウ７５４に表示させる。そして、読影者１９０が類似症例画像ウィンドウ７５１−７５４のうちのいずれかのウィンドウをマウス等でクリックすることで症例画像が指定されると、読影者端末１５０は、指定された症例画像を類似症例画像ウィンドウ７５０に拡大して表示する。
【００４９】
なお、表示指示受付部２４０は、類似症例画像ウィンドウ７５０に拡大して表示すべき症例画像を選択する指示を受け付ける。このとき、参照時間検出部２６０は、時間を計数するカウンタをスタートして、当該症例画像が類似症例画像ウィンドウ７５０に表示されている時間を計数する。
【００５０】
そして、入力部２１０が診断レポート入力ウィンドウ７３０に診断結果が入力されたことを検出すると、参照情報送信部２５０は、参照時間検出部２６０によって計数された時間を、医用情報処理装置１１０に送信する。なお、参照時間検出部２６０は、類似症例画像ウィンドウ７５０に表示されている時間に対して、入力部２１０に診断結果が入力されたタイミングにより近いほどより大きく重み付けした時間を参照時間として検出してもよい。
【００５１】
また、医用情報処理装置１１０は、指定された症例画像の所見等の診断結果データ又は疾患情報データを症例データベース１４０又は医学情報データベース１３０から取得して、その内容を参考診断レポート表示ウィンドウ７４０に表示させる。このとき、医用情報処理装置１１０は、診断結果データに含まれる疾患名を、医学情報データベース１３０が格納している疾患情報データへのリンク７４２として、参考診断レポート表示ウィンドウ９４０に表示させる。当該リンク７４２は、例えばＨＴＭＬによって記述されるハイパーテキストにおけるハイパーリンクであってよい。読影者端末１５０に表示されたリンク７４２を読影者１９０がマウス操作等によってクリックすると、医用情報処理装置１１０は、リンク付けされた疾患情報データを医学情報データベース１３０から取得して、読影者端末１５０に送信して読影者端末１５０に表示させる。なお、疾患情報データはＨＴＭＬ、ＸＭＬ等のマークアップ言語等によって記述されてよい。
【００５２】
図８は、診断結果データベース１４５が記憶するデータの一例をテーブル形式で示す。診断結果データベース１４５は、画像ＩＤ及び重要度算出部２８５が算出した重要度を対応づけて格納する。類似症例画像選択部２９０は、類似症例画像を識別する画像ＩＤに対応づけて診断結果データベース１４５が格納している重要度を読み出して、読影者端末１５０に送信する。なお、類似症例画像選択部２９０は、予め定められた重要度より高い重要度に対応づけて診断結果データベース１４５が格納している画像ＩＤによって識別される症例画像の中から類似症例画像を検索してもよい。
【００５３】
また、読影者端末１５０は、類似症例画像選択部２９０から取得した重要度が高い順に、類似症例画像ウィンドウ７５１、７５２、７５３の順で表示してよい。他にも、読影者端末１５０は、重要度が高いほど、類似症例画像ウィンドウ７５１−７５３の表示枠を強調して表示してもよい。
【００５４】
なお、重要度算出部２８５は、類似症例画像選択部２９０によって類似症例画像として選択された類似症例画像であって、表示指示受付部２４０により選択されなかった類似症例画像により小さい重要度を算出してもよい。そして、診断結果データベース１４５は、予め定められた重要度より低い重要度に対応づけて格納している画像ＩＤを、診断結果データベース１４５から削除してもよい。また、類似症例画像選択部２９０によって類似症例画像として選択された類似症例画像であって、表示指示受付部２４０により選択されなかった類似症例画像を、診断結果データベース１４５が削除してもよい。
【００５５】
図９は、医用情報処理装置１１０、読影者端末１５０、及び診断支援情報データベース１２０をコンピュータ等の電子情報処理装置で構成した場合のハードウェア構成の一例を示す。医用情報処理装置１１０、読影者端末１５０、及び診断支援情報データベース１２０をは、ＣＰＵ周辺部と、入出力部と、レガシー入出力部とを備える。ＣＰＵ周辺部は、ホスト・コントローラ１５８２により相互に接続されるＣＰＵ１５０５、ＲＡＭ１５２０、グラフィック・コントローラ１５７５、及び表示装置１５８０を有する。入出力部は、入出力コントローラ１５８４によりホスト・コントローラ１５８２に接続される通信インターフェイス１５３０、ハードディスクドライブ１５４０、及びＣＤ−ＲＯＭドライブ１５６０を有する。レガシー入出力部は、入出力コントローラ１５８４に接続されるＲＯＭ１５１０、フレキシブルディスク・ドライブ１５５０、及び入出力チップ１５７０を有する。
【００５６】
ホスト・コントローラ１５８２は、ＲＡＭ１５２０と、高転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作して、各部の制御をする。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【００５７】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、ＣＰＵ１５０５が使用するプログラム、及びデータを格納する。通信インターフェイス１５３０は、ネットワーク通信装置１５９８に接続してプログラム又はデータを送受信する。ＣＤ−ＲＯＭドライブ１５６０は、ＣＤ−ＲＯＭ１５９５からプログラム又はデータを読み取り、ＲＡＭ１５２０を介してハードディスクドライブ１５４０、及び通信インターフェイス１５３０に提供する。
【００５８】
入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、医用情報処理装置１１０及び読影者端末１５０が起動時に実行するブート・プログラム、あるいは画像処理システム１０及び読影者端末１５０のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０、及び通信インターフェイス１５３０に提供する。入出力チップ１５７０は、フレキシブルディスク・ドライブ１５５０、あるいはパラレル・ポート、シリアル・ポート、キーボード・ポート、マウス・ポート等を介して各種の入出力装置を接続する。
【００５９】
ＣＰＵ１５０５が実行するプログラムは、フレキシブルディスク１５９０、ＣＤ−ＲＯＭ１５９５、又はＩＣカード等の記録媒体に格納されて利用者によって提供される。記録媒体に格納されたプログラムは圧縮されていても非圧縮であってもよい。プログラムは、記録媒体からハードディスクドライブ１５４０にインストールされ、ＲＡＭ１５２０に読み出されてＣＰＵ１５０５により実行される。
【００６０】
ＣＰＵ１５０５により実行されるプログラムは、医用情報処理装置１１０を、図１から図８に関連して説明した診断結果取得部２８０、重要度算出部２８５、表示比率算出部２７５、参照情報特定部２７０、及び類似症例画像選択部２９０として機能させ、読影者端末１５０を、図１から図８に関連して説明した入力部２１０、視線特定部２２０、表示指示受付部２４０、参照回数検出部２６５、参照時間検出部２６０、参照情報送信部２５０、及び診断支援情報提示部２３０として機能させ、診断支援情報データベース１２０を、図１から図８に関連して説明した医学情報データベース１３０、症例データベース１４０、及び診断結果データベース１４５として機能させる。
【００６１】
以上に示したプログラムは、外部の記憶媒体に格納されてもよい。記憶媒体としては、フレキシブルディスク１５９０、ＣＤ−ＲＯＭ１５９５の他に、ＤＶＤ又はＰＤ等の光学記録媒体、ＭＤ等の光磁気記録媒体、テープ媒体、ＩＣカード等の半導体メモリ等を用いることができる。また、専用通信ネットワークあるいはインターネットに接続されたサーバシステムに設けたハードディスク又はＲＡＭ等の記憶装置を記録媒体として使用して、ネットワークを介したプログラムとして医用情報処理装置１１０及び診断支援情報データベース１２０に提供してもよい。
【００６２】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【図面の簡単な説明】
【００６３】
【図１】一実施形態に係る医用情報処理システム１００の利用環境の一例を示す図である。
【図２】医用情報処理装置１１０及び読影者端末１５０のブロック構成の一例を示す図である。
【図３】読影者端末１５０及び医用情報処理装置１１０の動作フローの一例を示す図である。
【図４】医学情報データベース１３０が格納しているデータの一例をテーブル形式で示す図である。
【図５】症例データベース１４０が格納しているデータの一例をテーブル形式で示す図である。
【図６】診断結果データベース１４５が格納しているデータの一例をテーブル形式で示す図である。
【図７】医用情報処理装置１１０が読影者端末１５０に表示させる画面の一例を示す図である。
【図８】診断結果データベース１４５が記憶するデータの一例をテーブル形式で示す図である。
【図９】医用情報処理装置１１０、読影者端末１５０、及び診断支援情報データベース１２０をコンピュータ等の電子情報処理装置で構成した場合のハードウェア構成の一例を示す図である。
【符号の説明】
【００６４】
１００  医用情報処理システム
１０２  診断サイト
１１０  医用情報処理装置
１２０  診断支援情報データベース
１３０  医学情報データベース
１４０  症例データベース
１４５  診断結果データベース
１５０  読影者端末
１６０  通信回線
１７０  医用画像撮像装置
１８０  カメラ
１９０  読影者
２１０  入力部
２２０  視線特定部
２３０  診断支援情報提示部
２４０  表示指示受付部
２５０  参照情報送信部
２６０  参照時間検出部
２６５  参照回数検出部
２７０  参照情報特定部
２７５  表示比率算出部
２８０  診断結果取得部
２８５  重要度算出部
２９０  類似症例画像選択部
【図１】
2009078085.tif 000003
【図２】
2009078085.tif 000004
【図３】
2009078085.tif 000005
【図４】
2009078085.tif 000006
【図５】
2009078085.tif 000007
【図６】
2009078085.tif 000008
【図７】
2009078085.tif 000009
【図８】
2009078085.tif 000010
【図９】
2009078085.tif 000011